(57)【特許請求の範囲】
【請求項１】
１つの画面内に視標を切換え配置する視力検査装置において、前記画面内に配置する１つ又は複数の視力視標を形成したチャート部が同一円周上に複数個設けられた視標ディスク板と、前記チャート部に形成された一部の視力視標を呈示するためのマスクが設けられたマスクディスク板と、視標を選択的に呈示するために前記視標ディスク板及びマスクディスク板を回転駆動する駆動制御手段とを備え、前記チャート部に形成する視力視標を１行と３行で構成したことを特徴とする視力検査装置。
【請求項２】
請求項１の視力検査装置において、前記チャート部に形成する視力値０．２以下の小さなサイズの視力視標は３行５列で構成し、視力値０．２より大きなサイズの視力視標は１行で構成したことを特徴とする視力検査装置。
【請求項３】
請求項１の視力検査装置において、前記マスクディスク板には全ての視力視標を個別に呈示するための１文字マスクと、３行で構成された視力視標を各行毎に呈示するための横マスクが設けられていることを特徴とする視力検査装置。
【請求項４】
請求項１の視力検査装置において、前記チャート部に形成する視力視標は等比級数にて表され対比視力となる対数視力視標で構成したことを特徴とする視力検査装置。
【発明の詳細な説明】
【０００１】
【発明の属する技術分野】
本発明は、視標を呈示して被検者の視力を検査する視力検査装置に関する。
【０００２】
【従来技術】
投影式の視力検査装置や視標光束を凹面鏡によって被検眼に導く省スペース型の視力検査装置では、視標が形成された視標ディスクを回転して一つの画面内に複数の視力視標を呈示して視力検査を行っている。また、この種の視力検査装置は１画面内にある視標の一部を呈示するために視標ディスクと重ね合せて使用するマスクディスクを備える。
【０００３】
ところで、従来、１画面内に呈示する視標は１行、２行及び３行で構成するのが普通であり、マスクディスクは１文字呈示、横１列呈示及び縦１列呈示のマスクがそれぞれかけられるように構成されていた。
【０００４】
【発明が解決しようとする課題】
しかし、等比級数で表される対数視力視標（LogMAR視標）等のように低視力の視標を増加させ、できるだけ１画面内に多くの視標を呈示できるようにすると、その分必要とするマスクの数も多くなり、全ての視標に１文字マスク、横マスク等をかけるマスクディスクの構成が難しいという問題があった。
【０００５】
本発明は、上記従来技術の問題点に鑑み、低視力の視標を多くした構成においても、全ての視標に対して視力値別の横１列の呈示及び１文字呈示を可能とし、マスクを効率良く使用できる視力検査装置を提供することを技術課題とする。
【０００６】
【課題を解決するための手段】
上記課題を解決するために、本発明は以下のような構成を備えることを特徴とする。
【０００７】
（１）  １つの画面内に視標を切換え配置する視力検査装置において、前記画面内に配置する１つ又は複数の視力視標を形成したチャート部が同一円周上に複数個設けられた視標ディスク板と、前記チャート部に形成された一部の視力視標を呈示するためのマスクが設けられたマスクディスク板と、視標を選択的に呈示するために前記視標ディスク板及びマスクディスク板を回転駆動する駆動制御手段とを備え、前記チャート部に形成する視力視標を１行と３行で構成したことを特徴とする。
【０００８】
（２）  （１）の視力検査装置において、前記チャート部に形成する視力値０．２以下の小さなサイズの視力視標は３行５列で構成し、視力値０．２より大きなサイズの視力視標は１行で構成したことを特徴とする。
【０００９】
（３）  （１）の視力検査装置において、前記マスクディスク板には全ての視力視標を個別に呈示するための１文字マスクと、３行で構成された視力視標を各行毎に呈示するための横マスクが設けられていることを特徴とする。
【００１０】
（４）  （１）の視力検査装置において、前記チャート部に形成する視力視標は等比級数にて表され対比視力となる対数視力視標で構成したことを特徴とする。
【００１１】
【発明の実施の形態】
以下、本発明の実施の形態を図面に基づいて説明する。図１は本発明に係る視力検査装置の概観概略図を示す。
【００１２】
１は装置本体を示し、正面上部には反射防止膜が施されたガラス板からなる窓２が配置され、被検者はこの窓２を介して中央に視標を見る。窓２はガラス板に代えてフィルタを配置しても良い。装置本体１の内部は黒色に塗装されており、内部構造が見えにくくしている。
【００１３】
３は電源スイッチ、３ａは電源が投入されたことを点灯により知らせる表示ランプである。４は後述するワイヤレスのリモコン４０に対する光信号の送受信を行う送受信窓である。
【００１４】
次に、装置本体１の内部に配置される光学系を図２、図３に基づいて説明する。図２は装置本体１の右側面から見たときの光学系の透視図、図３は正面から見たときの光学系の透視図である。
【００１５】
Ｅは被検眼を示す。２０はガラス板からなる円盤状の視標ディスク板であり、その同一円周上には視力値視標等の多数の視力検査視標がクロム蒸着等により形成されている。視標ディスク板２０は視標ディスク板モータ２１により回転され、被検者に呈示する視標を切り替え配置する。２２は呈示視標の一部をマスクするためのマスク板であり、マスク板モータ２３により回転され、視標に所期する必要なマスクをかける。これら視標ディスク板２０とマスク板２２の詳細は後述する。
【００１６】
２４は検査視標を照明する照明用ランプ、２５はミラー、２６はビームスプリッタ、２７は凹面ミラーである。本形態での凹面ミラー２７は、被検眼と視力装置本体１の窓２との距離が０．９ｍのときに、視標と被検眼Ｅとの光学距離を５ｍの検査距離にするようにその焦点距離が設計されている。
【００１７】
照明ランプ２４により照明された検査視標の光束は、ミラー２５によって上方に反射され、ビームスプリッタ２６を透過した後、凹面ミラー２７で反射される。凹面ミラー２７で反射した視標光束はビームスプリッタ２６で反射され、窓２を介して被検眼Ｅに向かう。ビームスプリッタ２６は回転軸２８に取付けられており、モータ２９により回転軸２８が回転するとビームスプリッタ２６の傾斜角度が変えられる。これにより、ビームスプリッタ２６で反射する視標光束の上下方向の光路が変えられ、被検眼の高さ位置に合わせて視標光束を導くことができる。
【００１８】
３０は被検眼の高さ位置を検出する検出光学系であり、集光レンズ３１、２次元の位置検出素子３２を備え、窓２の左右両側の内部に設けられている。後述するリモコン４０の発光部から発せられる赤外光は、集光レンズ３１により位置検出素子３２に集光し、位置検出素子３２からの出力信号により被検眼の高さ位置が検出される（視標光の光路を被検眼の高さに合せる方法は、詳しくは特開平７−２３６６１２を参照されたい）。
【００１９】
次に、視標ディスク板２０の詳細を図４に示し、説明する。
【００２０】
従来の視力装置等に使用されるランドルト環等の視標は、小数視力値にて表示されていたが、本実施の形態で使用される視標は、最小分離閾の視角を常用対数にしたもの（等比級数で表される対比視力  logarithm of the minimum angle of resolution  以下LogMARとする。）を使用している。
【００２１】
従来の小数視力値は０．１、０．２〜０．８、０．９、１．０等で表されるように、視力値の段階が０．１の小数にて変化している。このため、０．２から０．３へ視力が向上した場合と、０．９から１．０へ視力が向上した場合とでは、どちらも１段階の視力向上とされている。しかしながら、視角で表すと前者が視角１．５倍に相当するのに対して、後者では1.0/0.9＝1.11倍相当ということとなるため、必ずしも視力評価が公正に行われているとは言い難い。
【００２２】
本実施形態にて使用されるLogMAR視標は、小数視力値１．０に対応するランドルト環の対数視力値を０とし、対数視力値−０．３〜＋１．４まで、０．１刻みにて形成されている。その結果、各視力値の段階（変化量）は同間隔（同量）となる。また一方で、これらLogMARによる視標の視力値表示は、被検者に分かり易いよう小数視力値に変換した値としている。
【００２３】
図４に示すように、視標ディスク板２０上には、LogMARのランドルト環チャート部５０が１３枚、LogMARのひらがなチャート部５１が５枚、レッド・グリーン検査や両眼バランス等に使用するチャート面５２が７枚の計２４枚のチャート部が同一円周上に設けられている。これらのチャート部が照明ランプ２４の照明光路に切換え配置され、窓２内に１つの画面として呈示される。
【００２４】
ランドルト環チャート部５０の詳細を図６に示し、説明する。なお、図６においては、説明の便宜上小さな視標（小数視力値にて０．２５〜２．０までのランドルト環）は拡大して描いてある。
【００２５】
チャート部５０ａ、５０ｂはともに小数視力値０．０４（対数視力値＋１．４）のランドルト環が、チャート部５０ｃ、５０ｄは小数視力値０．０５（対数視力値＋１．３）のランドルト環が各々一つずつ形成されている。チャート部５０ａ〜５０ｄに形成されるランドルト環は、これら４つのチャート同士でその切れ目方向が重複しないように、上下左右方向からそれぞれ選択されている。
【００２６】
チャート部５０ｅは小数視力値０．０６３（対数視力値＋１．２）のランドルト環が横に２つ並んで形成されている。チャート部５０ｆは小数視力値０．０８（対数視力値＋１．１）のランドルト環がチャート部５０ｅと同じように２つ並んで形成されている。また、これらチャート部５０ｅ、５０ｆに形成される計４つのランドルト環は切れ目方向が重複しないように、上下左右方向からそれぞれ選択されている。
【００２７】
チャート部５０ｇ〜５０ｉは小数視力値がそれぞれ０．１（対数視力値＋１．０）、０．１２５（対数視力値＋０．９）、０．１６（対数視力値＋０．８）のランドルト環がそれぞれのチャートに対して横に３つ並んで形成されている。
【００２８】
チャート部５０ｊ〜５０ｍは１つのチャート部に対し、視力値が３段階分のランドルト環が形成されている。さらにそのうちの１つの視力値に対して５個ずつランドルト環が形成されているため、１つのチャート部に対し合計１５個のランドルト環が形成されている。
【００２９】
具体的には、チャート部５０ｊには、小数視力値０．２、０．２５、０．３２（対数視力値＋０．７、＋０．６、＋０．５）の３種類が、チャート部５０ｋには、小数視力値０．４、０．５、０．６３（対数視力値＋０．４、＋０．３、＋０．２）の３種類が、チャート部５０ｌには、小数視力値０．７、０．８、１．０（対数視力値＋０．１、０）の３種類が、チャート部５０ｍには、小数視力値１．２５、１．６、２．０（−０．１、−０．２、−０．３）の３種類が、それぞれチャート上に形成されている。ここで小数視力値０．７に対応するランドルト環は、本実施形態で示すLogMAR視標ではないが、運転免許等における基準視力値となるため、小数視力値０．７のランドルト環を使用している。
【００３０】
ひらがなチャート部５１は小数視力値０．１〜１．６（対数視力値＋１．０〜−０．２）のものが５枚に分かれて用意されているが、各チャート部における視標構成はランドルト環のものと同じであるので説明を省略する。
【００３１】
次に、これらのチャート部上の視標に所期するマスクをかけるためのマスク板２２の詳細を図５に示し、説明する。また、ここで示される一点鎖線は、チャート部における長手、短手方向に対する中心線とする。
【００３２】
６０はマスクをかけず、チャート面全体を呈示させるための開口部である。６１はチャート部５０ｊ〜５０ｍ等のように３行×５列の視標が形成されているものににおいて、その横方向（同一視力値が表示される方向）に対して上段、中段、下段をそれぞれ別に呈示させるための開口部（横マスク）である。６２は同じく３行×５列の視標が形成されているチャート部において、縦方向（異なる視力値が表示される方向）に対して左端、中央、右端の３列を各々別に呈示させる開口部（縦マスク）である。
【００３３】
６３はランドルト環が１行×２列で形成されているチャート部５０ｅ、５０ｆにおいてそれぞれの視標を個別に呈示させるための開口部（１文字マスク）、６４はチャート部５０ｇ〜５０ｉ等のように１つのチャート面に１行×３列で視標が形成されているものにおいて、それぞれの視標を個別に呈示させるための開口部（１文字マスク）である。また、６５はチャート部５０ｊ〜５０ｍ等のように１つのチャート部に３行×５列で視標が形成されているものにおいて、それぞれの視標を個別に呈示させるための開口部（１文字マスク）である。
【００３４】
ところで、上記のようにLogMAR視標を用いて細かな評価を行う場合、小数視力値０．２より低い視力値視標（大きな視標）の種類が多く必要となる。また、正確な視力値を求めるためには、同一視力値の異なる視標をできるだけ多く用意することが望ましい。したがって、本実施形態では視標の大きさにより１つのチャート部に１個しか形成できないものは、少なくとも２つのチャート部を使用することにより、同一視力値で異なる視標を２つ確保する。１つのチャート部に同一視力値の視標を複数個形成できる場合には、隣り合う視標どうしの間隔を検査に支障が出ない程度に保ちつつ、１つのチャート部に形成可能な最大個数を形成するものとした（ただし、上限を５個とした）。
【００３５】
また、一方で、LogMAR視標で求められる低視力の視標を増加させつつ、１つのチャート部に異なる視標をできるだけ多く形成すると、１つのチャート部上に形成する視標の構成パターンの種類が増えてしまう。このため、その構成パターンを工夫しないとマスク板２２上に形成する開口部は、従来に比べさらに多くのものが必要となってしまうこととなる。すなわち、１つのチャート部に異なる視標をできるだけ多く形成した場合、例えば、１行×１列、１行×２列、２行×３列、３行×５列の構成パターンが可能であるが、これでは全てに１文字マスク、横マスクを掛ける場合に多くの種類のマスクが必要で、１枚のマスク板ディスクで作成することが難しくなる。
【００３６】
そこで、本実施形態では上記で示した如く、チャート部５０ｊ〜５０ｍのようにサイズの小さな視標は１つのチャート部上に３行×５列で構成し、サイズの大きな視標はすべて１つのチャート部上に１行で構成した。これにより、低視力の視標を多くしたチャート部の構成においても、マスク種類の増加をできるだけ抑えつつ、全てのチャート部に対して視力値別の横１列の呈示及び１文字呈示が可能となり、１枚のディスクにマスクを効率良く使用できる。
【００３７】
次に、リモコン４０の詳細を図７に示し、その構成を説明する。
【００３８】
４１は電源スイッチ、４２は視標（チャート部の画面）の選択を行うための視標切替スイッチ群、４３は視標にかけるマスクの種類を選択するマスク用スイッチ、４４は被検眼の高さ位置を合せる際の位置検出の赤外光信号を送信したりマニュアル操作にてモータ２９を駆動し、視標光路を変えるための光路変更スイッチ群である。４６は装置本体１に呈示される視標やその視標の視力値を表示する表示部である。４７はマスク位置を変更させて呈示する視標を変える変更スイッチである。４８は表示部４６に表示される視力値を小数表示か対数表示かに切り替える切替スイッチである。
【００３９】
４９は呈示視標に対する被検者の応答の正誤を入力すると共に、後述する視力検査プログラムを実行するためのスイッチを兼ねるオートスイッチである。オートスイッチ４９には正答したときに使用するＹＥＳスイッチと、誤答又はわからない場合に使用するＮＯスイッチが備わっている。また、視標の呈示をリモコン４０の前部には赤外光によるパルス信号を送受信するための、送受信部４０ａが設けられている。
【００４０】
以上のような構成における装置の動作を、図８の電気系ブロック図を使用して説明する。
【００４１】
被検者を装置本体１の正面の所定位置（本形態では窓２との距離が０．９ｍの距離）に位置させた後、検者はリモコン４０を操作して視力検査を行う。所望する視標は視標切替スイッチ群４２、マスク用スイッチ４３及び変更スイッチ４７を操作して呈示する。リモコン送受信部４０ａから発せられた視標及びマスク情報の信号は、送受信窓４を通して装置本体１内部に設置されている受光部３１で受信される。受光部３１で受信された信号は、信号処理回路３３を通して演算・制御部３０に送られる。演算・制御部３０は信号処理回路３３からの信号に基づいて受信した信号に対応するチャート部及びマスク用の開口部を光路中にセットすべくモータ２１，２３を駆動させる。また、演算・制御部３０は呈示した視標に対応する視標情報を、信号処理回路３４を通じて発光部３２から送信する。送信された視標情報に関する信号はリモコン側の送受信部４０ａにて受信される。受信された視標情報は表示部４６にて視力値とともに表示され、これによって表示内容と呈示視標の食い違いを防止する。
【００４２】
【発明の効果】
以上説明したように、本発明によれば、サイズの大きい低視力の視標を多くした構成においても、全ての視標に対して視力値別の横１列の呈示及び１文字呈示を可能とし、マスクを効率良く使用できる。
【図面の簡単な説明】
【図１】装置本体を示す図である。
【図２】装置本体内部に配置される光学系を示す図である。
【図３】装置本体内部に配置される光学系を示す図である。
【図４】視標ディスク板２０の詳細を示す図である。
【図５】マスク板２２の詳細を示す図である。
【図６】ランドルト環チャート部５０の詳細を示す図である。
【図７】リモコン４０の詳細を示す図である。
【図８】電気系ブロック図である。
【符号の説明】
１  装置本体
２  窓
４  送信窓
２０  視標ディスク板
２２  マスク板
３０  演算・制御部
４０  リモコン
５０  ランドルト環チャート部
５１  ひらがなチャート部
５２  チャート部
【図１】
0003647353.tif 000002
【図２】
0003647353.tif 000003
【図３】
0003647353.tif 000004
【図４】
0003647353.tif 000005
【図５】
0003647353.tif 000006
【図６】
0003647353.tif 000007
【図７】
0003647353.tif 000008
【図８】
0003647353.tif 000009